(57)【要約】【課題】液体の影響を受けない構造に専用に製造されたＩＣタグを使用しなくても、従来のようなＩＣタグの形状を工夫し、液体の入ったボトルなどの容器に対するＩＣタグの装着個所を工夫することにより、液体の影響を受けない液体ボトル用ＩＣタグ及びＩＣタグを装着した液体ボトルを提供することにある。【解決手段】液体内容物を包装する液体包装ボトル容器に装着して使用するための液体包装ボトル容器装着用ＩＣタグにおいて、該ボトル容器外面の首部、胴部、把手など装着可能な装着部に装着されたＩＣタグ支持シートと、該ＩＣタグ支持シートにおける前記ボトル容器に包装された液体内容物から離反した位置にある平坦シート面に取り付けられた非接触式ＩＣタグ部とから構成されている液体包装ボトル容器装着用ＩＣタグ及びそのＩＣタグを装着した液体包装ボトル容器。【選択図】図１
2007168883.tif 000002
【特許請求の範囲】
【請求項１】
液体内容物を充填包装した液体ボトル容器に装着して使用するための液体ボトル容器装着用ＩＣタグにおいて、該ボトル容器外面の装着可能な装着部に装着されたＩＣタグ支持シートと、該ＩＣタグ支持シート面に前記ボトル容器に包装された液体内容物から離反した位置に取り付けられた非接触式ＩＣタグ部とから構成されていることを特徴する液体ボトル容器装着用ＩＣタグ。
【請求項２】
前記ＩＣタグ支持シートが、前記装着部としてのボトル容器外面の首部又は胴部の外周より外側に向かって略水平に平坦に張り出されていることを特徴とする請求項１記載の液体ボトル容器装着用ＩＣタグ。
【請求項３】
前記ＩＣタグ支持シートが、平坦なリング状のＩＣタグ支持シートであって、前記装着部としてのボトル容器外面の首部、胴部を、該支持シート領域内に設けた装着用孔部に嵌挿して装着され、且つ前記装着部としてのボトル容器外面の首部又は胴部の外周より外側に向かって略水平に平坦に張り出されていることを特徴とする請求項１又は２記載の液体ボトル容器装着用ＩＣタグ。
【請求項４】
液体内容物を充填包装した液体ボトル容器に非接触式ＩＣタグ部を装着した液体ボトル容器において、該ボトル容器外面の首部、胴部、把手など装着可能な装着部にＩＣタグ支持シートが装着され、該ＩＣタグ支持シートにおける前記ボトル容器に包装された液体内容物から離反した位置にある平坦シート面に非接触式ＩＣタグ部が取り付けられていることを特徴するＩＣタグ装着液体ボトル容器。
【請求項５】
前記ＩＣタグ支持シートが、前記装着部としてのボトル容器外面の首部又は胴部の装着可能な装着部の外周より外側に向かって略水平に平坦に張り出されていることを特徴とする請求項４記載のＩＣタグ装着液体ボトル容器。
【請求項６】
前記ＩＣタグ支持シートが、平坦なリング状のＩＣタグ支持シートであって、前記装着部としてのボトル容器外面の首部、胴部を、該支持シート領域内に設けた装着用孔部に嵌挿して装着され、且つ前記装着部としてのボトル容器外面の首部又は胴部の外周より外側に向かって略水平に平坦に張り出されていることを特徴とする請求項４又は５記載のＩＣタグ装着液体ボトル容器。
【発明の詳細な説明】
【技術分野】
【０００１】
本発明は、容器に装着して使用するためのＩＣタグに関し、液体を充填包装したプラスチック製又はガラス製などの液体ボトルに装着して使用するための液体ボトル用ＩＣタグ及び液体を充填包装する液体ボトルにＩＣタグを装着したＩＣタグ装着液体ボトル容器に関する。
【背景技術】
【０００２】
従来のＩＣタグ（ＲＦＩＤ（Ｒａｄｉｏ  Ｆｒｅｑｕｅｎｃｙ  Ｉｄｅｎｔｉｆｉｃａｔｉｏｎ）タグ）をペットボトル等の液体の入った容器に貼り付け、そのＩＣタグに書き込まれたデータをＩＣタグ読取機にて電波信号として読み取る場合、ＩＣタグから発信する電波信号は、その容器内の液体の影響により殆ど液体に吸収されてしまって交信ができない場合がある。特にＩＣタグに割り当てられた電波の周波数が、２．４５ＧＨZ 等の極めて高い周波数の場合にはその傾向が高く、ＩＣタグとして機能しないものである。
【０００３】
図３は、筒状胴部１と首部２と注出口部（キャップ部）３と底部４とからなる液体ボトル容器Ｂの筒状胴部１の外面に直接、非接触式にて読み取り可能なＩＣタグＡ（ＲＦＩＤ）を貼着した場合を説明する斜視図である。この非接触式ＩＣタグＡは、プラスチックフィルム又は用紙等の支持シート２０面に、ＩＣチップ２１（マイクロコントローラ、メモリ搭載）と、そのＩＣチップ２１の両側に延設した送受信アンテナ部２２とにより構成されるＩＣタグ部Ｃ（ＩＣ回路）を取り付けたものである。
【０００４】
液体ボトル容器Ｂは、水やジュース等の液体飲料をはじめとする液状の内容物を包装したボトル容器であり、図３に示すように、ＩＣタグＡは液状の内容物に最も近接する容器Ｂの胴部１に装着されている。
【０００５】
ＩＣタグ読出手段にて非接触式ＩＣタグＡのＩＣチップ２１に書き込まれたデータを読み出す際には、図３に示すように、ＩＣタグ読出手段の送受信アンテナから、容器Ｂ内の液状内容物から離反した位置に配置されたＩＣタグＡの送受信アンテナ２２に向けて読出用電波信号ｗを送信し、そのＩＣタグＡの送受信アンテナ２２から書き込まれたデータとして応答電波信号ｗを発信させ、その応答電波信号ｗをＩＣタグ読出手段にて、その送受信アンテナにて受信して読み出すものである。
【０００６】
ＩＣタグＡの送受信アンテナ２２から発信する応答電波信号は、ＩＣタグＡが容器Ｂの胴部１外面に密着して装着されていて、容器Ｂ内の液状内容物に最も接近している。そのために、容器Ｂ内の液状内容物によって電波信号が吸収されて、ＩＣタグＡの送受信アンテナ２１からの応答電波信号の電波利得が低下し、ＩＣチップ２１に書き込まれたデータを精度良く読み出すことが不可能となるものである。
【０００７】
このように、ペットボトルのような液体が充填された容器Ｂに、ＩＣタグＡを装着しようとする場合、容器Ｂ内の液体の影響を受けるために、液体が充填された容器Ｂ面に直接貼着することができない。あるいは、貼着する場合にも、ボトル専用に製造されたＩＣタグを貼着するしかない。そのために製造コストが掛かるというデメリットが発生する。
【発明の開示】
【発明が解決しようとする課題】
【０００８】
そこで、本発明は、特に液体の影響を受けないように設計された、あるいは、そうした液体に影響を受けない構造に専用に製造されたＩＣタグを使用しなくても、従来のような
ＩＣタグの形状を工夫し、液体の入ったボトルなどの容器に対するＩＣタグの装着個所を工夫することにより、液体の影響を受けない液体ボトル用ＩＣタグ及びＩＣタグを装着した液体ボトルを提供することにある。
【課題を解決するための手段】
【０００９】
本発明の請求項１に係る発明は、液体内容物を充填包装した液体ボトル容器に装着して使用するための液体ボトル容器装着用ＩＣタグにおいて、該ボトル容器外面の装着可能な装着部に装着されたＩＣタグ支持シートと、該ＩＣタグ支持シート面に前記ボトル容器に包装された液体内容物から離反した位置に取り付けられた非接触式ＩＣタグ部とから構成されていることを特徴する液体ボトル容器装着用ＩＣタグである。
【００１０】
本発明の請求項２に係る発明は、上記請求項１に係る液体ボトル容器装着用ＩＣタグにおいて、前記ＩＣタグ支持シートが、前記装着部としてのボトル容器外面の首部又は胴部の外周より外側に向かって略水平に平坦に張り出されていることを特徴とする液体ボトル容器装着用ＩＣタグである。
【００１１】
本発明の請求項３に係る発明は、上記請求項１又は２に係る液体ボトル容器装着用ＩＣタグにおいて、前記ＩＣタグ支持シートが、平坦なリング状のＩＣタグ支持シートであって、前記装着部としてのボトル容器外面の首部、胴部を、該支持シート領域内に設けた装着用孔部に嵌挿して装着され、且つ前記装着部としてのボトル容器外面の首部又は胴部の外周より外側に向かって略水平に平坦に張り出されていることを特徴とする液体ボトル容器装着用ＩＣタグである。
【００１２】
本発明の請求項４に係る発明は、液体内容物を充填包装した液体ボトル容器に非接触式ＩＣタグ部を装着したＩＣタグ装着液体ボトル容器において、該ボトル容器外面の首部、胴部、把手など装着可能な装着部にＩＣタグ支持シートが装着され、該ＩＣタグ支持シートにおける前記ボトル容器に包装された液体内容物から離反した位置にある平坦シート面に非接触式ＩＣタグ部が取り付けられていることを特徴するＩＣタグ装着液体ボトル容器である。
【００１３】
本発明の請求項５に係る発明は、上記請求項４に係るＩＣタグ装着液体ボトル容器において、前記ＩＣタグ支持シートが、前記装着部としてのボトル容器外面の首部又は胴部の装着可能な装着部の外周より外側に向かって略水平に平坦に張り出されていることを特徴とするＩＣタグ装着液体ボトル容器である。
【００１４】
本発明の請求項６に係る発明は、上記請求項４又は５に係るＩＣタグ装着液体ボトル容器において、前記ＩＣタグ支持シートが、平坦なリング状のＩＣタグ支持シートであって、前記装着部としてのボトル容器外面の首部、胴部を、該支持シート領域内に設けた装着用孔部に嵌挿して装着され、且つ前記装着部としてのボトル容器外面の首部又は胴部の外周より外側に向かって略水平に平坦に張り出されていることを特徴とするＩＣタグ装着液体ボトル容器である。
【発明の効果】
【００１５】
本発明の液体ボトル容器装着用ＩＣタグ及びＩＣタグ装着液体ボトル容器によれば、水やジュース等の液体飲料をはじめとする液状の内容物を充填包装したプラスチック製又はガラス製又はセラミック製などのボトル容器に装着される非接触式のＩＣタグ部（ＲＦＩＤ）は、容器の外側に装着可能な支持シートにおける容器内の液状内容物から離反した位置にある平坦シート面に取り付けられるため、非接触式ＩＣタグ部は、容器本体外面及び容器内の液状内容物から離反した位置に配置される。
【００１６】
ＩＣタグ読出手段にて非接触式のＩＣタグ部に書き込まれたデータを読み出す際には、ＩＣタグ読出手段の送受信アンテナから、容器内の液状内容物から離反した位置に配置されたＩＣタグ部の送受信アンテナに向けて読出用電波信号を送信し、そのＩＣタグ部の送受信アンテナから書き込まれたデータとして応答電波信号を発信させて、その応答電波信号をＩＣタグ読出手段にて、その送受信アンテナにて受信して読み出す。
【００１７】
そのために、ＩＣタグ部の送受信アンテナから発信する応答電波信号は、ＩＣタグ部が容器本体外面に密着して装着されていて液状内容物に接近している場合に比較して、容器内の液状内容物による電波吸収率を低く抑えることができ、ＩＣタグ部からの応答電波信号の電波利得を向上させる効果が得られ、ＩＣタグ部に書き込まれたデータを精度良く読み出すことが可能となるものである。
【発明を実施するための最良の形態】
【００１８】
本発明の液体ボトル容器装着用ＩＣタグを、実施の形態に基づいて以下に詳細に説明すれば、図１は、プラスチック製又はガラス製又はセラミック製などの液体ボトル容器Ｂに取り付けた本発明の非接触式のＩＣタグＡ（ＲＦＩＤ）の一例であり、図２は、そのボトル容器Ｂの上部分の拡大斜視図である。
【００１９】
本発明の非接触式の液体ボトル容器装着用ＩＣタグＡは、液体（粘稠体）を含む内容物、あるいは液体と固体との混合体による内容物を包装した液体ボトル容器Ｂに装着される。そして、その容器Ｂに関する情報や、その容器Ｂ内に注入、包装されている内容物に関する情報等を、図１に示すように、所定周波数の電波信号ｗによる電子データとして、書込手段や読出手段との間で非接触式（電波信号交信方式）にて交信して、書き込み、読み出しするために使用する非接触式のＩＣタグ部Ｃを搭載したものである。
【００２０】
上記の本発明の非接触式ＩＣタグＡは、図１、図２に示すように、プラスチックフィルム又は用紙等の適宜なＩＣタグ支持シート１１と、該ボトル容器Ｂに包装された液体内容物から離反した位置にある前記支持シート１１の平坦シート面に、接着材など接合部材を介して取り付けられたＩＣタグ部Ｃ（ＩＣ回路）とから構成されている。
【００２１】
ＩＣタグ支持シート１１に取り付けられたＩＣタグ部Ｃは、該支持シート１１面に直接に、ＩＣチップ２１（マイクロコントローラＩＣ回路部、メモリＩＣ回路部を搭載）を搭載し、そのＩＣチップ２１の両側に送受信アンテナ部２２を延設して構成されている。なお、そのＩＣタグ部Ｃを保護するために、該ＩＣタグ部Ｃに保護シート、保護フィルム、保護コーティング膜などを被覆してもよい。
【００２２】
また、前記ＩＣタグ部Ｃとしては、前記支持シート１１とは別体のプラスチックフィルム又は用紙等の適宜な支持シート面に、ＩＣチップ２０（マイクロコントローラ、メモリ搭載）と、そのＩＣチップ２０の両側に延設した送受信アンテナ部２２とを搭載したＩＣタグ部Ｃ（ＩＣ回路）をＩＣタグ支持シート１１に貼着して取り付けたものでもよい。
【００２３】
上記ＩＣタグＡをＩＣタグ支持シート１１に取り付けた本発明のＩＣタグＡは、ボトル容器Ｂ本体のうち、該支持シート１１を装着可能な、例えば、胴部１、首部２、注出口部３（キャップ部）、底部４、あるいは把手部（図示せず）などを装着部として、その装着部に装着して取り付け固定される。
【００２４】
容器Ｂ本体の外面に対する前記支持シート１１の装着形式については、本発明においては特に限定するものではないが、前記装着部としてのボトル容器Ｂ本体の外面の胴部１、首部２、注出口部３（キャップ部）、底部４、あるいは把手部（図示せず）などの外周部分に取り付けられる。そして、該容器Ｂより外側方向に向かって、該ボトル容器Ｂに包装
されている液体内容物から離反する方向に延設されていることが適当である。
【００２５】
例えば、図１に示すように、該支持シート１１は、該容器Ｂより離反する外側方向に向かって、略水平に平坦に張り出されている。また、該支持シート１１の外形については、本発明においては特に限定されるものではない。
【００２６】
前記支持シート１１の容器Ｂ本体の外面に対する装着形式としては、例えば、図１、図２に示すように、ボトル容器Ｂ外面の胴部１よりも小径の首部２を装着部として、該支持シート１１の領域内に設けた装着用孔部１２に、その首部２を嵌挿して装着される。そして、該支持シート１１は、前記装着部としてのボトル容器Ｂ外面の胴部１又は首部２の外周より容器Ｂ外側に向かって略水平方向に平坦に張り出されている。
【００２７】
装着した支持シート１１の容器Ｂ外面に対する固定方式としては、本発明においては特に限定されるものではないが、例えば、装着した支持シート１１は、セロファンテープなどの接着用部材を用いて容器Ｂの外面に対して固定することができる。
【００２８】
支持シート１１は、容器Ｂの製造、梱包、保管、移送、運搬、配送、販売などの過程における容器の取り扱い容易性や作業性、商品外観性など容器性能面において支障のないような形状や装着形式を採用することが望ましい。
【００２９】
例えば、図１、図２に示すように、支持シート１１の外周端部は、ボトル容器などの容器Ｂの外周面よりも極端に突出しない程度が適当であり、平坦なプラスチックフィルム、用紙などのシートを、容器Ｂの外周面径（例えば、胴部１の外周径）より小径に同心円状や、相似形状等となるような適宜な形状に切り抜いたものであって、例えば、平坦な円形リング状（円環状）、あるいは楕円リング状、四角形リング状など適宜な外形状を備えている。
【００３０】
図１、図２に示すように、容器Ｂに装着される本発明のＩＣタグＡには、その支持シート１１面における該容器Ｂより離反する外側方向に向かって略水平に平坦に張り出されている平坦シート面の部分に、非接触式のＩＣタグ部Ｃが取り付けられている。
【００３１】
ＩＣタグ部ＣにおけるＩＣチップ部２１より細長く線状に延設されるアンテナ部２２の線形状としては、図示するように直線形状であってもよいし、または、例示する支持シート１１の円形状の外周端部に沿った部分円の湾曲線形状であってもよいし、あるいは、閉曲線形状（リング状、コイル状）等であってもよい。なお、図１、図２における本発明のＩＣタグＡのアンテナ部２２においては、そのアンテナ部２２の送受信電波の偏波方向は容器Ｂ内の液状内容物の液面と平行な水平方向となる。
【００３２】
本発明のＩＣタグ装着液体ボトル容器は、図１に示すように、前述した本発明のＩＣタグＡを装着した容器Ｂであり、ＩＣタグＡのＩＣタグ支持シート１１を装着可能なボトル容器Ｂの外面の装着部、例えばボトル容器Ｂの外面の胴部１、首部２、注出口部３（キャップ部）、把手部（図示せず）などの装着可能な部位に装着したものである。
【００３３】
図１、図２に示すように、該ＩＣタグＡの支持シート１１における前記ボトル容器Ｂに包装された液体内容物から離反した位置にある平坦シート面には、ＩＣタグ部Ｃが取り付けられている。
【００３４】
前記ＩＣタグ支持シート１１は、前記装着部としてのボトル容器Ｂの外面の胴部１、首部２、注出口部３（キャップ部）、把手部（図示せず）、あるいは底部４（底面部）などの支持シート１１を装着可能な装着部の外周より外側に向かって略水平に平坦に張り出さ
れている。
【００３５】
例えば、前記ＩＣタグ支持シート１１は、図１、図２に示すように平坦なリング状のシートであって、前記装着部としてのボトル容器Ｂ外面の胴部１、首部２を、該支持シート１１領域内に設けた装着用孔部１２に嵌挿して装着されている。そして、前記装着部としてのボトル容器Ｂの胴部１、首部２又はその外周より外側に向かって略水平に平坦に張り出されている。
【図面の簡単な説明】
【００３６】
【図１】本発明の液体ボトル容器装着用ＩＣタグ及びそのＩＣタグを装着した液体ボトル容器を説明する全体斜視図。
【図２】本発明の液体ボトル容器装着用ＩＣタグ及びそのＩＣタグを装着した液体ボトル容器を説明する容器上部部分の拡大斜視図。
【図３】従来の液体ボトル容器装着用ＩＣタグ及びそのＩＣタグを装着した液体ボトル容器を説明する全体斜視図。
【符号の説明】
【００３７】
Ａ…ボトル容器装着用ＩＣタグ
Ｂ…液体ボトル容器
Ｃ…ＩＣタグ部
１…胴部
２…首部
３…注出部（キャップ部）
４…底面部
１１…支持シート
１２…装着用孔部
２１…ＩＣチップ部
２２…アンテナ部
ｗ…電波信号
【図１】
2007168883.tif 000003
【図２】
2007168883.tif 000004
【図３】
2007168883.tif 000005